(57)【要約】【課題】自動オン運転が設定されているときに、不適切な運転が開始されることを抑制する。【解決手段】リモコン１５は、室内環境に応じて自動で室内機の運転を開始するためのおまかせ運転が、選択肢の一つとして含まれているメニュー画面を表示する（Ｓ１１３）。また、メニュー画面でおまかせ運転が選択されたときに、実行の可否を確認するための警告画面を表示する（Ｓ１１５）。さらに、おまかせ運転が実行されている状態で（Ｓ１１１の判定が“Ｙｅｓ”）、ユーザによって室内機１３の運転をオンにするための操作が行われたときに（Ｓ１１８の判定が“Ｙｅｓ”）、警告画面を表示する（Ｓ１２１）。【選択図】図５
2018169103.tif 000002
【特許請求の範囲】
【請求項１】
室内の空気調和を行なう空気調和機と、
前記空気調和機を遠隔操作するためのリモコンと、を備え、
前記リモコンは、
画面を表示する表示部と、
ユーザの操作によらず室内環境に応じて自動で前記空気調和機の運転を開始するための自動オン運転が、選択肢の一つとして含まれているメニュー画面を、ユーザの操作に応じて前記表示部に表示する第一の表示制御部と、
前記自動オン運転が実行されているときに、前記自動オン運転による前記空気調和機の運転と異なる運転を開始するための操作が行われた際、警告画面を前記表示部に表示する第二の表示制御部とを有していることを特徴とする空気調和装置。
【請求項２】
外気温を検出する外気温検出部と、
前記外気温検出部で検出した外気温に応じて、前記空気調和機の運転をオンにするためのユーザの操作が適切であるか否かを判定する判定部と、を備え、
前記第二の表示制御部は、
前記判定部でユーザの操作が不適切であると判定されたときに、前記警告画面を前記表示部に表示することを特徴とする請求項１に記載の空気調和装置。
【請求項３】
前記判定部でユーザの操作が不適切であると判定されたときに、ユーザに注意喚起を行なう注意喚起部を備えることを特徴とする請求項２に記載の空気調和装置。
【発明の詳細な説明】
【技術分野】
【０００１】
本発明は、空気調和装置に関するものである。
【背景技術】
【０００２】
運転が停止されている状態でも、室温が閾値を超えている場合に、ユーザに注意喚起を行なうと共に、強制的に冷房運転を開始するものがあった。
【先行技術文献】
【特許文献】
【０００３】
【特許文献１】特開２０１２−２０７８６７号公報
【発明の概要】
【発明が解決しようとする課題】
【０００４】
運転が停止されていても、室温に応じて自動的に運転を開始する自動オン運転が設定されている状態で、リモコンによって不適切な操作が行われる可能性がある。例えば、冷房が必要な室温であるのに暖房運転を選択する操作が行われたり、暖房が必要な室温であるのに冷房運転を選択する操作が行われたりする、といった場合である。この場合、自動オン運転が設定されているにも関わらず、不適切な運転が開始されてしまうことになる。
本発明の課題は、自動オン運転が設定されているときに、不適切な運転が開始されることを抑制できる空気調和装置を提供することである。
【課題を解決するための手段】
【０００５】
本発明の一態様に係る空気調和装置は、室内の空気調和を行なう空気調和機と、空気調和機を遠隔操作するためのリモコンと、を備え、リモコンは、画面を表示する表示部と、ユーザの操作によらず室内環境に応じて自動で空気調和機の運転を開始するための自動オン運転が、選択肢の一つとして含まれているメニュー画面を、ユーザの操作に応じて表示部に表示する第一の表示制御部と、
自動オン運転が実行されているときに、ユーザによって前記自動オン運転による空気調和機の運転と異なる運転を開始するための操作が行われた際、警告画面を表示部に表示する第二の表示制御部とを有している。
【発明の効果】
【０００６】
本発明によれば、自動オン運転が実行されているときに、不適切な運転が開始されることを抑制できる。
【図面の簡単な説明】
【０００７】
【図１】空気調和機の構成図である。
【図２】室内機及びリモコンの機能ブロック図である。
【図３】リモコンの外観図である。
【図４】室内機制御処理を示すフローチャートである。
【図５】リモコン制御処理を示すフローチャートである。
【発明を実施するための形態】
【０００８】
以下、本発明の実施形態を図面に基づいて説明する。なお、各図面は模式的なものであって、現実のものとは異なる場合がある。また、以下の実施形態は、本発明の技術的思想を具体化するための装置や方法を例示するものであり、構成を下記のものに特定するものでない。すなわち、本発明の技術的思想は、特許請求の範囲に記載された技術的範囲内において、種々の変更を加えることができる。
【０００９】
《構成》
図１は、空気調和機の構成図である。空気調和機１１は、室内１２の壁面に取り付けられた室内機１３と、戸外に設置された室外機１４と、を備える。空気調和機１１は、リモコン１５を介した無線通信により、ユーザによって遠隔操作される。図２は、空気調和機の機能ブロック図である。室内機１３は、通信部２１と、室内機制御部２２と、ファン２３と、を備える。通信部２１は、リモコン１５との間で各種信号を通信する。室外機１４には、外気温センサ１６が設けられており、外気温センサ１６で検出した外気温は、室内機制御部２２へ入力される。室内機制御部２２は、判定部２４を備え、リモコン１５からの各種信号を受け、室外機１４、ファン２３を駆動制御する。判定部２４は、外気温センサ１６で検出した外気温に応じて、空気調和機１１の運転をオンにするためのユーザの操作が適切であるか否かを判定する。
【００１０】
室内機１３と室外機１４は、冷媒回路を形成しており、この冷媒回路を循環する冷媒と空気の間で熱エネルギーの交換が行われ、室内機１３から冷気や暖気が室内１２へ供給される。室内機制御部２２は、図示しない室外機１４のコンプレッサーや四方弁を駆動制御することにより、冷房／暖房の切り換えや、室内機から吹き出される冷気や暖気の温度をコントロールする。リモコン１５は、通信部３１と、リモコン制御部３２と、表示部３３と、選択操作スイッチ３４と、メニュースイッチ３５と、冷房運転スイッチ３６と、暖房運転スイッチ３７と、停止スイッチ３８と、を備える。通信部３１は、室内機１３との間で各種信号を通信する。リモコン制御部３２は、第一の表示制御部５１と、第二の表示制御部５２と、注意喚起部５３と、を備え、表示部３３を駆動制御すると共に、各スイッチからスイッチ信号を受け、通信部３１へ送る。
【００１１】
第一の表示制御部５１は、ユーザの操作によらず室内環境に応じて自動で空気調和機１１の運転を開始するための自動オン運転（以下、おまかせ運転と称する）が、選択肢の一つとして含まれているメニュー画面を、ユーザの操作に応じて表示部３３に表示する。
第二の表示制御部５２は、メニュー画面でおまかせ運転が選択されたときに、実行の可否を確認するための警告画面を、表示部３３に表示する。また、おまかせ運転が実行されている状態で、ユーザによって空気調和機１１の運転と異なる運転を開始するための操作が行われたときに、警告画面を表示部３３に表示する。
【００１２】
図３は、リモコンの外観図である。表示部３３は、例えば液晶表示器（ＬＣＤ）からなり、任意の画面を表示する。選択操作スイッチ３４は、例えば方向キー及び決定キーからなり、表示部３３に表示された内容に従って、選択操作を行なうためのスイッチである。すなわち、表示部３３における画面上の選択インタフェースを方向キーで移動させ、選択インタフェースで選択された項目を決定キーで決定する。メニュースイッチ３５は、表示部３３に選択可能なメニューを表示するためのスイッチである。冷房運転スイッチ３６は、冷房運転をオンにするためのスイッチである。暖房運転スイッチ３７は、暖房運転をオンにするためのスイッチである。停止スイッチ３８は、運転を停止するためのスイッチである。
【００１３】
次に、室内機制御部２２で実行する室内機制御処理について説明する。ここでは、本発明に係る処理を中心に説明しており、冷媒回路の制御等の一般的な処理は省略する。
図４は、室内機の制御に関する処理を示すフローチャートである。室内機の制御に関する処理は、ユーザが室内機１３に対して運転開始を指示する操作を行なったら開始され、以後、停止信号を受信するまで運転を継続する。ステップＳ１０１では、おまかせ運転（自動オン運転）を実行中であるか否かを判定する。おまかせ運転は、室内の温度や湿度に応じて、自動で空気調和機１１を運転開始する機能であり、みまもり運転とも呼ばれる。おまかせ運転を実行していないときには（Ｓ１０１‐Ｎｏ）ステップＳ１０２に移行する。一方、おまかせ運転を実行しているときには（Ｓ１０１‐Ｙｅｓ）ステップＳ１０３に移行する。
【００１４】
ステップＳ１０２では、リモコン１５の操作に応じた運転を実行し、ステップＳ１０１に戻る。ステップＳ１０３では、冷房運転スイッチ３６又は暖房運転スイッチ３７が操作されたことを示すオン操作信号を受信しているか否かを判定する。オン操作信号を受信していないときには（Ｓ１０３‐Ｎｏ）ステップＳ１０４に移行する。一方、オン操作信号を受信しているときには（Ｓ１０３‐Ｙｅｓ）ステップＳ１０５に移行する。ステップＳ１０４では、おまかせ運転を実行し、ステップＳ１０１に戻る。
【００１５】
ステップＳ１０５では、冷房運転スイッチ３６又は暖房運転スイッチ３７の操作が不適切であるか否かを判定する。具体的には、以下に二つの具体例を示す。第一の具体例として、外気温が設定値Ｔ１（例えば２４℃）以上であるのに暖房運転スイッチ３７が操作されたときや、外気温が設定値Ｔ２（例えば１８℃）以下であるのに冷房運転スイッチ３６が操作されたときに、不適切な操作であると判定する。一方、外気温が設定値Ｔ１を下回っている状態で暖房運転スイッチ３７が操作されたときや、外気温が設定値Ｔ２を上回っている状態で冷房運転スイッチ３６が操作されたときには、不適切な操作ではないと判定する。設定値Ｔ１は、冷房運転を許容できる外気温の下限値であり、設定値Ｔ２は、暖房運転を許容できる外気温の上限値である。
【００１６】
第二の具体例として、本体の運転内容と異なる運転を指示した場合には不適切な操作であると判定し、本体の運転内容と同じ運転を指示した場合には不適切な操作ではないと判定する。ここで、不適切な操作ではないと判定したときには（Ｓ１０５‐Ｎｏ）ステップＳ１０６に移行する。一方、不適切な操作であると判定したときには（Ｓ１０５‐Ｙｅｓ）ステップＳ１０７に移行する。このステップＳ１０５の処理は、判定部２４で実行される。
【００１７】
ステップＳ１０６では、おまかせ運転を中止すると共に、リモコン１５でオン操作された運転を実行し、ステップＳ１０１に戻る。ステップＳ１０７では、リモコン１５に対して不適切信号を送信する。不適切信号とは、ユーザの操作が不適切であると判定されたことを示すための信号である。ステップＳ１０８では、リモコン１５から許可信号又は中止信号を受信しているか否かを判定する。何れの信号も受信していないときには（Ｓ１０８‐Ｎｏ）何れかの信号を受信するまで待機する。一方、何れかの信号を受信したときには（Ｓ１０８‐Ｙｅｓ）ステップＳ１０９に移行する。ステップＳ１０９では、リモコン１５から受信した信号が許可信号であるか否かを判定する。受信した信号が許可信号であるときには（Ｓ１０９‐Ｙｅｓ）ステップＳ１１０に移行する。一方、受信した信号が中止信号であるときには（Ｓ１０９‐Ｎｏ）ステップＳ１０１に戻る。ステップＳ１１０では、おまかせ運転を中止すると共に、リモコン１５でオン操作された運転を実行し、ステップＳ１０１に戻る。上記が室内機制御処理である。
【００１８】
次に、リモコン制御部３２で実行するリモコン制御処理について説明する。図５は、リモコン制御処理を示すフローチャートである。ステップＳ１１１では、おまかせ運転を実行中であるか否かを、リモコン１５のメモリから判定する。おまかせ運転を実行していないときには（Ｓ１１１‐Ｎｏ）ステップＳ１１２に移行する。一方、おまかせ運転を実行しているときには（Ｓ１１１‐Ｙｅｓ）ステップＳ１２０に移行する。ステップＳ１１２では、メニュースイッチ３５が操作されているか否かを判定する。メニュースイッチ３５が操作されているときには（Ｓ１１２‐Ｙｅｓ）ステップＳ１１３に移行する。一方、メニュースイッチ３５が操作されていないときには（Ｓ１１２‐Ｎｏ）ステップＳ１１１に戻る。
【００１９】
ステップＳ１１３では、メニュー画面を表示部３３に表示する。メニュー画面には、実行可能な機能の一覧が表示され、おまかせ運転も選択肢の一つとして含まれている。このステップＳ１１３の処理は、第一の表示制御部５１で実行される。
ステップＳ１１４では、選択操作スイッチ３４の操作により、メニュー画面から実行可能な機能が選択決定されたか否かを判定する。すなわち、画面上の選択インタフェースを方向キーで移動させ、選択インタフェースで選択された項目を決定キーで決定されたか否かを判定する。選択決定されたときには（Ｓ１１４‐Ｙｅｓ）ステップＳ１１５に移行する。一方、選択決定されなかったときには（Ｓ１１４‐Ｎｏ）ステップＳ１１１に戻る。
ステップＳ１１５では、実行の可否を確認するための警告画面を、表示部３３に表示する。警告画面には、例えば「許可」及び「中止」、また「ＯＫ」及び「Ｃａｎｃｅｌ」のように、二つの選択肢が表示される。このステップＳ１１５の処理は、第二の表示制御部５２で実行される。
【００２０】
ステップＳ１１６では、選択操作スイッチ３４の操作により、実行を許可する操作、又は実行を中止する操作が行われたか否かを判定する。何れの操作も行なわれていないときには（Ｓ１１６‐Ｎｏ）何れかの操作が行われるまで待機する。何れかの操作が行われたときには（Ｓ１１６‐Ｙｅｓ）ステップＳ１１７に移行する。ステップＳ１１７では、行われた操作が実行を許可する操作であるか否かを判定する。行われた操作が実行を許可する操作であるときには（Ｓ１１７‐Ｙｅｓ）ステップＳ１１８に移行する。一方、行われた操作が実行を中止する操作であるときには（Ｓ１１７‐Ｎｏ）ステップＳ１１９に移行する。ステップＳ１１８では、室内機１３に対して実行信号を送信してからステップＳ１１１に戻る。ステップＳ１１９では、室内機１３に対して中止信号を送信してからステップＳ１１１に戻る。ステップＳ１２０では、冷房運転スイッチ３６又は暖房運転スイッチ３７が操作されたか否かを判定する。オン操作がされていないときには（Ｓ１２０‐Ｎｏ）ステップＳ１１１に戻る。一方、オン操作がされたときには（Ｓ１２０‐Ｙｅｓ）ステップＳ１２１に移行する。
【００２１】
ステップＳ１２１では、室内機１３に対してオン操作信号（冷房運転オン又は暖房運転オン）を送信する。ステップＳ１２２では、室内機１３より不適切信号を受信しているか否かを判定する。不適切信号を受信していないときには（Ｓ１２２‐Ｎｏ）ステップＳ１１１に戻る。一方、不適切信号を受信しているときには（Ｓ１２２‐Ｙｅｓ）ステップＳ１２１に移行する。ステップＳ１２３では、オン操作された冷房運転又は暖房運転の実行の可否を確認するための警告画面を、表示部３３に表示する。警告画面には、例えば「許可」及び「中止」、また「ＯＫ」及び「Ｃａｎｃｅｌ」のように、二つの選択肢が表示される。表示の一例として、図３では４１の符号で示すように、「変更しますか？」という文字と共に、「ＯＫ」及び「Ｃａｎｃｅｌ」の選択肢を表示している。このステップＳ１２３の処理は、第二の表示制御部５２で実行される。ステップＳ１２４では、ユーザへの注意喚起として、おまかせ運転中である旨を、表示部３３に表示する。表示の一例として、図３では４２の符号で示すように、「おまかせ運転中です」という文字を表示している。このステップＳ１２４の処理は、注意喚起部５３で実行される。
【００２２】
ステップＳ１２５では、選択操作スイッチ３４の操作により、実行を許可する操作、又は実行を中止する操作が行われたか否かを判定する。何れの操作も行なわれていないときには（Ｓ１２５‐Ｎｏ）何れかの操作が行われるまで待機する。何れかの操作が行われたときには（Ｓ１２５‐Ｙｅｓ）ステップＳ１２６に移行する。ステップＳ１２６では、行われた操作が実行を許可する操作であるか否かを判定する。行われた操作が実行を許可する操作であるときには（Ｓ１２６‐Ｙｅｓ）ステップＳ１２７に移行する。一方、行われた操作が実行を中止する操作であるときには（Ｓ１２６‐Ｎｏ）ステップＳ１２８に移行する。ステップＳ１２７では、室内機１３に対して許可信号を送信してからステップＳ１１１に戻る。ステップＳ１２８では、室内機１３に対して中止信号を送信してからステップＳ１１１に戻る。上記がリモコン制御処理である。
以上、ステップＳ１１３の処理が第一の表示制御部５１で実行される。ステップＳ１１５、Ｓ１２３の処理が第二の表示制御部５２で実行される。外気温センサ１６が「外気温検出部」に対応する。ステップＳ１０５の処理が判定部２４で実行される。ステップＳ１２４の処理が注意喚起部５３で実行される。
【００２３】
《作用》
次に、実施形態の主要な作用について説明する。
おまかせ運転は、室内１２の温度や湿度に応じて、自動的に冷房運転や暖房運転を開始する機能であり、例えば高齢者や幼児のように、自発的にリモコン１５を操作することができない、又は苦手な方のために、使用されることを想定している。このおまかせ運転を実行している状態で、リモコン１５によって不適切な操作が行われる可能性がある。例えば、冷房が必要な室温であるのに暖房運転を選択する操作が行われたり、暖房が必要な室温であるのに冷房運転を選択する操作が行われたりする、といった場合である。この場合、おまかせ運転が実行されているにも関わらず、強制的に不適切な運転が開始されてしまうことになる。
【００２４】
そこで、室内機制御部２２は、おまかせ運転を実行している状態で（Ｓ１０１の判定が“Ｙｅｓ”）、冷房運転スイッチ３６又は暖房運転スイッチ３７が操作されたら（Ｓ１０３の判定が“Ｙｅｓ”）、この操作が不適切であるか否かを外気温に応じて判断する。すなわち、外気温が高温であるのに暖房運転スイッチ３７が操作されたときや、外気温が低温であるのに冷房運転スイッチ３６が操作されたときには、不適切な操作であると判定し（Ｓ１０５の判定が“Ｙｅｓ”）、不適切信号をリモコン１５に送信する（Ｓ１０７）。リモコン制御部３２は、不適切信号を受信すると（Ｓ１２２の判定が“Ｙｅｓ”）、図３に示されるように、実行の可否を確認するための警告画面を表示部３３に表示する（Ｓ１２３）。これにより、例えば誤ってリモコン１５を操作していた場合には、「Ｃａｎｃｅｌ」の選択肢を選択実行することにより（Ｓ１２６の判定が“Ｎｏ”）、中止信号を送信し（Ｓ１２８）、不適切な運転が実行されることを防げる。
【００２５】
おまかせ運転を実行していない場合には（Ｓ１１１の判定が“Ｎｏ”）、メニュースイッチ３５の操作に応じてメニュー画面を表示し（Ｓ１１３）、選択操作スイッチ３４の操作に応じて警告画面を表示することになる（Ｓ１１５）。このように、おまかせ運転を実行していないときには、メニュー画面から警告画面へと遷移して、実行を許可するか中止するかを決定している。一方、おまかせ運転を実行している状態で、不適切な操作が入力されたときには、前述したように、メニュー画面を表示することなく、直ちに警告画面へと遷移するため、操作性にも優れており、ユーザに煩雑感を与えることを抑制できる。
また、リモコン制御部３２は、警告画面を表示する際に、図３に示されるように、ユーザへの注意喚起として、おまかせ運転中である旨を表示部３３に表示する（Ｓ１２４）。これにより、おまかせ運転中であれば本来は不要な操作がなされていることを、効果的にユーザに認識させることができる。
【００２６】
一方、ユーザの操作が必ずしも誤っていたとは限らない。例えば冬季に、室内機１３とは別の暖房設備（暖炉やストーブ）を使用したり、室内１２で調理用の加熱器を使用したりして、一時的に室温が上昇するような状況もある。この場合には、ユーザが一時的に冷房運転スイッチ３６を操作することも起こり得る。したがって、警告画面を見たユーザが「ＯＫ」の選択肢を選択実行すると（Ｓ１２６の判定が“Ｙｅｓ”）、リモコン制御部３２は、室内機１３に対して許可信号を送信する（Ｓ１２７）。室内機制御部２２は、許可信号を受信すると（Ｓ１０９の判定が“Ｙｅｓ”）、運転を実行する（Ｓ１１０）。これにより、ユーザの意志を尊重した運転を実行することができる。
なお、外気温が低温で暖房運転スイッチ３７が操作されたときや、外気温が高温で冷房運転スイッチ３６が操作されたときには（Ｓ１０５の判定が“Ｎｏ”）、不適切な操作ではないと判定し、運転を実行する（Ｓ１０６）。これにより、ユーザの意志を尊重した運転を実行することができる。
【００２７】
《応用例》
実施形態では、おまかせ運転中に不適切な操作がなされ、警告画面を表示しても、実行を許可する操作が行われると、おまかせ運転が中止される場合について説明したが、これに限定されるものではない。例えば、予め定めた時間（例えば２〜３時間程度）が経過した後に、おまかせ運転を復帰させてもよい。このとき、おまかせ運転を復帰させてもよいかどうかを、改めて警告画面を表示して、ユーザに選択させてもよい。このように、おまかせ運転を中止してから、ある程度の時間が経過したときに、再びおまかせ運転を復帰させることで、利便性が向上する。
【００２８】
《変形例》
実施形態では、ユーザへの注意喚起として、おまかせ運転中である旨を、リモコン１５の表示部３３に表示しているが、これに限定されるものではない。例えば、おまかせ運転中である旨を、ランプの点灯、効果音や音声の出力によって行なってもよい。また、これらはリモコン１５で行わなくともよく、室内機１３で行なってもよい。
実施形態では、冷房運転又は暖房運転をオンにする操作が不適切であるか否かを、室内機制御部２２で判定しているが、これに限定されるものではなく、外気温情報を取得できれば、リモコン制御部３２で判定してもよい。
【００２９】
以上、限られた数の実施形態を参照しながら説明したが、権利範囲はそれらに限定されるものではなく、上記の開示に基づく実施形態の改変は、当業者にとって自明のことである。
【符号の説明】
【００３０】
１１  空気調和機
１２  室内
１３  室内機
１４  室外機
１５  リモコン
１６  外気温センサ
２１  通信部
２２  室内機制御部
２３  ファン
２４  判定部
３１  通信部
３２  リモコン制御部
３３  表示部
３４  選択操作スイッチ
３５  メニュースイッチ
３６  冷房運転スイッチ
３７  暖房運転スイッチ
３８  停止スイッチ
５１  第一の表示制御部
５２  第二の表示制御部
５３  注意喚起部
【図１】
2018169103.tif 000003
【図２】
2018169103.tif 000004
【図３】
2018169103.tif 000005
【図４】
2018169103.tif 000006
【図５】
2018169103.tif 000007